(57)【要約】【課題】セキュリティの強化を図りえる入退室管理システムの提供。【解決手段】上記課題は、電気錠及びカードリーダを有してそのカードリーダが読み込んだＩＣカードの識別データにより電気錠の開錠及び閉錠の可否を判断して入室を制限する入退室管理装置３と、この入退室管理装置３と通信回線で接続されてカードリーダが読み込んだ識別データに対する電気錠の開錠及び閉錠の可否情報を少なくとも格納管理するデータ管理装置５と備え、データ管理装置５にカードリーダの読み込み順序を格納する読み込み順序記憶部２１を設け、この読み込み順序記憶部２１に記憶される読み込み順序の順に入退室管理装置３のカードリーダが識別データを読み込んだとき、電気錠へ開錠信号を出力する構成にすることで、達成できる。【選択図】図１
2008157015.tif 000002
【特許請求の範囲】
【請求項１】
建物の各部屋の少なくとも出入口に設置されるカードリーダと、このカードリーダが読み込んだ識別データにより当該出入口に設置される電気錠の開錠及び閉錠の可否を判断して入室を制限する入退室管理装置と、この入退室管理装置に通信回線で接続されて前記カードリーダが読み込んだ識別データに対する前記電気錠の開錠及び閉錠の可否情報を少なくとも格納管理するデータ管理装置とを含む入退室管理システムにおいて、
前記データ管理装置に前記カードリーダの読み込み順序を記憶する読み込み順序記憶部を設け、この読み込み順序記憶部に記憶されるカードリーダ読み込み順序の順に前記カードリーダが前記識別データを読み込んだときに、前記電気錠へ開錠信号を出力する構成にしたことを特徴とする入退室管理システム。
【請求項２】
前記読み込み順序記憶部に記憶されるカードリーダ読み込み順序を、曜日、祝祭日及び時間によって変更可能にする管理テーブルを設けたことを特徴とする請求項１記載の入退室管理システム。
【請求項３】
予め定めた前記カードリーダが前記識別データを読み込むと、前記識別データに対する特定部への入室を許可する特定部入室許可手段を備えたことを特徴とする請求項１記載の入退室管理システム。
【請求項４】
前記特定部入室許可手段対応の前記カードリーダは所定部屋の出入口に設置されるカードリーダか、所定部屋に設置される入室許可用カードリーダの少なくとも一方としたことを特徴とする請求項１記載の入退室管理システム。
【請求項５】
前記特定部入室許可手段は当該識別データに対する前記特定部の前記電気錠の開錠を１回のみ有効とするとともに、前記所定部屋以外の前記電気錠の開錠を不能とすることを特徴とする請求項１記載の入退室管理システム。
【請求項６】
前記データ管理装置内に通信回線を介して前記建物の各部屋の退去及び入居の予定情報を少なくとも取得する情報公開装置を設け、この情報公開装置により前記退去及び入居の予定情報を取得した後に前記入退室管理装置及び前記データ管理装置に格納された前記識別データを更新する構成にしたことを特徴とする請求項１記載の入退室管理システム。
【請求項７】
前記入退室管理装置の異常状態が検出されると、その異常状態の緊急度を判断する異常状態判断装置と、この異常状態判断装置の判断結果、緊急度が高い異常状態である場合にはその異常状態の内容を異常情報として前記管制センターに送信し、かつ、緊急度が低い異常状態である場合にはその異常状態の内容を異常情報として情報センターに設置された前記データ管理装置に送信する送信装置とを設けたことを特徴とする請求項１記載の入退室管理システム。
【発明の詳細な説明】
【技術分野】
【０００１】
本発明は、建物内に配置される複数のテナントへのセキュリティ強化を図り得る入退室管理システムに関するものである。
【背景技術】
【０００２】
従来、入退室管理システムとしては、建物の各部屋を入退室する際の、個人の識別（認証）は、各部屋に設置された識別装置（認証装置）によって行われるようにしてある。そして、各部屋に入居しているテナントが退去する場合には、各部屋に保守技術者が出向いて識別装置の設定変更作業を行うようにしている。
【０００３】
さらに、入退室管理システムとしては、各部屋の出入口に設置した電気錠及びカードリーダに異常が発生した場合には、回線識別装置により、各センターへ送信する際の複数の通経路の中から1つの通経路を選択して、その異常発生の情報を１箇所のセンターに送信した後、そのセンターから最適なセンターに、異常情報を転送するようにしたものが知られている（例えば、特許文献１参照）。
【特許文献１】特開２００５−１０７６８５公報
【発明の開示】
【発明が解決しようとする課題】
【０００４】
しかしながら、上述した従来の入退室管理システムでは、入退室者の識別（認証）は、個々の識別装置にて実施しており、入退室者が入退室を許可された部屋（以下、許可部屋と称する。）に入るためには、その許可部屋の出入口に設置される識別装置を通過すればよいように構成されている。そのために、入退室を許可されない不審者が入退室を許可された人（入退許可者）の後について行き許可部屋の出入口（建物の玄関）を通り抜けた後、その不審者が、別の部屋の入退室を許可された人のＩＣカードを盗んだり若しくは不正コピーしたりしてそのＩＣカードを、別の部屋の出入口に設置された識別装置にセットすることにより、その別の部屋に不審者が入られてしまうという問題があった。
【０００５】
さらに、上述した従来の入退室管理システムでは、各部屋に入居していたテナントが退去する場合には、その退去する部屋に保守技術者が出向いて識別装置の設定変更等の作業を実施しなければならず、その作業が面倒であって日時が掛かる場合があるために、その退去する部屋に新しく入居する新規テナントの入居時期が制約されるという問題があった。
【０００６】
しかも、上述した従来の入退室管理システムでは、各部屋に設置した電気錠及びカードリーダなどに異常が発生した場合には、回線識別装置により、各センターへ送信する際の複数の通経路の中から1つの通経路を選択して、その異常の発生の情報（以下、異常情報と称する。）を１箇所のセンターに送信した後、そのセンターから最適なセンターに、異常情報を転送するようにしており、各部屋に設置した電気錠及びカードリーダに関する異常情報が直ちに最適なセンターに送信されないという問題があった。
【０００７】
本発明は、上述した問題点に鑑みなされたもので、一つ目の目的は、セキュリティの強化を図りえる入退室管理システムを提供することにある。本発明の二つ目の目的は、テナントの入れ替わりに即座に対応することのできる入退室管理システムを提供することにある。本発明の三つ目の目的は、異常の発生に対して迅速に対応させることのできる入退室管理システムを提供することにある。
【課題を解決するための手段】
【０００８】
上記一つ目の目的を達成するために、本発明は、建物の各部屋の少なくとも出入口に設置されるカードリーダと、このカードリーダが読み込んだ識別データにより当該出入口に設置される電気錠の開錠及び閉錠の可否を判断して入室を制限する入退室管理装置と、この入退室管理装置に通信回線で接続されて前記カードリーダが読み込んだ識別データに対する前記電気錠の開錠及び閉錠の可否情報を少なくとも格納管理するデータ管理装置とを含む入退室管理システムにおいて、前記データ管理装置に前記カードリーダの読み込み順序を記憶する読み込み順序記憶部を設け、この読み込み順序記憶部に記憶されるカードリーダ読み込み順序の順に前記カードリーダが前記識別データを読み込んだときに、前記電気錠へ開錠信号を出力する構成にしたことを特徴としたものである。
【０００９】
さらに、本発明は、前記読み込み順序記憶部に記憶されるカードリーダ読み込み順序を、曜日、祝祭日及び時間によって変更可能にする管理テーブルを設けたことを特徴としている。
【００１０】
さらに、本発明は、予め定めた前記カードリーダが前記識別データを読み込むと、前記識別データに対する特定部への入室を許可する特定部入室許可手段を備え、前記特定部入室許可手段の前記カードリーダは所定部屋の出入口カードリーダか、所定部屋に設置される入室許可用カードリーダの少なくとも一方とし、前記特定部入室許可手段は当該識別データに対する前記特定部の前記電気錠の開錠を１回のみ有効とするとともに、前記所定部屋以外の前記電気錠の開錠を不能としたことを特徴としている。
【００１１】
さらに、上記二つ目の目的を達成するために、本発明は、建物の各部屋の少なくとも出入口に設置されるカードリーダと、このカードリーダが読み込んだ識別データにより当該出入口に設置される電気錠の開錠及び閉錠の可否を判断して入室を制限する入退室管理装置と、この入退室管理装置に通信回線で接続されて前記カードリーダが読み込んだ識別データに対する前記電気錠の開錠及び閉錠の可否情報を少なくとも格納管理するデータ管理装置とを含む入退室管理システムにおいて、前記データ管理装置内に通信回線を介して前記建物の各部屋の退去及び入居の予定情報を少なくとも取得する情報公開装置を設け、この情報公開装置により前記退去及び入居の予定情報を取得した後に前記入退室管理装置及び前記データ管理装置に格納された前記識別データを更新する構成にしたことを特徴としたものである。
【００１２】
さらに、上記三つ目の目的を達成するために、本発明は、契約顧客の建物の各部屋の少なくとも出入口に設置されるカードリーダと、このカードリーダが読み込んだ識別データにより当該出入口に設置される電気錠の開錠及び閉錠の可否を判断して入室を制限する入退室管理装置と、この入退室管理装置に通信手段で接続されて情報センターに設置されたデータ管理装置と、このデータ管理装置及び入退室管理装置に通信回線で接続された管制センターと、前記データ管理装置に通信手段で接続された参照設定装置とを備え、前記入退室管理装置を、少なくとも電気錠及びカードリーダを有してそのカードリーダが読み込んだ識別データにより電気錠の開錠及び閉錠の可否を判断して入室を制限する構成にするとともに、前記データ管理装置を、前記カードリーダが読み込んだ識別データに対する前記電気錠の開錠及び閉錠の可否情報を少なくとも格納管理する構成にしてなる入退室管理システムにおいて、前記入退室管理装置の異常状態が検出されると、その異常状態の緊急度を判断する異常状態判断装置と、この異常状態判断装置の判断結果、緊急度が高い異常状態である場合にはその異常状態の内容を異常情報として前記管制センターに送信し、かつ、緊急度が低い異常状態である場合にはその異常状態の内容を異常情報として情報センターに設置された前記データ管理装置に送信する送信装置とを設けたことを特徴としたものである。
【発明の効果】
【００１３】
本発明によれば、読み込み順序記憶部に記憶されたカードリーダ読み込み順序に、カードリーダが識別データを読み込んだとき、電気錠の開錠が行われるようにしたので、カードリーダ読み込み順序に沿って建物の各出入口のカードリーダを使用して来ない不審者等が建物の各部屋に入ってしまうことを阻止することができ、しかも、人の往来が変化する曜日や時間によって、適宜にカードリーダ読み込み順序を変えることができ、また、特定の部屋への入室は、所定の部屋へ出向き、所定部屋のカードリーダで認証されなければ許可されないので、セキュリティ強化の向上が図られて使い勝手の優れた入退室管理システムが得られる。また、本発明によれば、通信回線を介して情報公開装置に退去及び入居の予定情報を登録することで、その退去及び入居の予定情報に基づき、識別データを簡単に更新することができるので、テナントの入れ替わりに即座に対応できる入退室管理システムが得られる。また、本発明によれば、緊急度の高い異常発生の場合に、異常状態の内容が管制センターに送信されて、保守技術者の現地への出動指示がなされるので、異常発生の対策を迅速に行わせることのできる入退室管理システムが得られる。
【発明を実施するための最良の形態】
【００１４】
以下、本発明に係る入退室管理システムの一実施形態を、図１〜図９に、基づいて説明する。
【００１５】
図１は、本発明の一実施形態に係わり、入退室管理システム全体の機能ブロック図である。図２は、本発明の一実施形態に係わり、入退室管理システムにおけるコントローラの機能ブロック図である。図３は、本発明の一実施形態に係わり、入退室管理システムにおける読み込み順序記憶部の「カード毎の順路管理テーブル」に関する内容例を示す説明図である。図４は、本発明の一実施形態に係わり、入退室管理システムにおける読み込み順序記憶部の「順路パターン管理テーブル」に関する内容例を示す説明図である。図５は、本発明の一実施形態に係わり、入退室管理システムにおける読み込み順序記憶部の「順路スケジュール管理テーブル」に関する内容例を示す説明図である。図６は、本発明の一実施形態に係る入退室管理システム１を採用した３階建てビルの１階及び２階の内容例を示す説明図である。図７は、本発明の一実施形態に係わり、入退室管理システムによる異常発生通報方法例を示すフローチャートである。図８は、本発明の一実施形態に係わり、入退室管理システムによるテナント利用者情報の変更方法例を示すフローチャートである。図９は、本発明の一実施形態に係わり、入退室管理システムによる順路判断方法例を示すフローチャートである。図１０は、本発明の一実施形態に係わり、順路エラー時のＩＣカード利用不可設定フローチャートである。図１１は、本発明の一実施形態に係わり、セキュリティレベルの高い居室に入室する際のフローチャートである。
【００１６】
図１に示す本発明の一実施形態に係る入退室管理システム１は、契約顧客の建物２〜２Ｎの各部屋の出入口に設置された入退室管理装置３〜３Ｎと、この入退室管理装置３〜３Ｎに電話回線４からなる通信手段で接続されて情報センターに設置されたデータ管理装置５と、このデータ管理装置５及び入退室管理装置３〜３Ｎに通信回線４で接続された管制センター６と、データ管理装置５にインターネット７からなる通信手段で接続された参照設定装置８〜８Ｎとから少なくとも構成されている。なお、参照設定装置８〜８Ｎは、汎用パソコンからなり、キーボード、マウス、表示装置などを備えている。
【００１７】
入退室管理装置３〜３Ｎは、図１示すように、カードリーダ９、９Ａ〜９Ｍ、９Ｎと、電気錠１０、１０Ａ〜１０Ｍ、１０Ｎと、コントローラ１１〜１１Ｎとから少なくとも構成されており、予め入退室を許可された人物若しくは物体を識別する識別データを、カードリーダ９、９Ａ〜９Ｍ、９Ｎが読み込むと、コントローラ１１〜１１Ｎから電気錠１０、１０Ａ〜１０Ｍ、１０Ｎに開錠信号若しくは閉錠信号が送信されてその電気錠１０、１０Ａ〜１０Ｍ、１０Ｎを開錠（解錠）若しくは閉錠（施錠）する行う機能を有している。
【００１８】
カードリーダ９、９Ａ〜９Ｍ、９Ｎは、電気錠１０、１０Ａ〜１０Ｍ、１０Ｎが設けられた各出入口のドアの近傍に設置されて、ＩＣカード（図示しない）に記憶されたそのＩＣカードの所有者（入退室を許可された人）の識別データを読み取る機能を有している。識別データの読み取り方法としては、磁気ストライブ方式、非接触方式などが採用されている。なお、所有者（入退室を許可された人）を識別する手段としては、ＩＣカードに限定されるものではなく、バーコード、無線タグなどの識別装置や、指紋、虹彩若しくは静脈パターンなどの生体情報を利用した識別装置を用いるようにするようにすることもできる。
【００１９】
入退室管理装置３〜３Ｎのコントローラ１１〜１１Ｎは、電気錠１０、１０Ａ〜１０Ｍ、１０Ｎやカードリーダ９、９Ａ〜９Ｍ、９Ｎなどの機器に設置されてそれらの機器に発生する異常（故障）を検出する検出センサー、各部屋の出入口のドアに設置されてドア開閉の異常状態（開きぱなし状態）を検出する検出センサー、各部屋の出入口のドアに設置されてそのドアがこじ開けられる異常状態を検出する検出センサーなどの検出センサーによって、異常状態が検出されると、その異常状態の緊急度（重要度）を判断した後、緊急度（重要度）が高い異常状態である場合には、その異常状態の内容を異常情報として管制センター６に送信し、かつ、緊急度（重要度）が低い異常状態である場合には、その異常状態の内容を異常情報として情報センターに設置されたデータ管理装置５に送信する機能を有している。
【００２０】
情報センターに設置されたデータ管理装置５は、図１示すように、回線制御装置１２、異常受信装置1３、情報配信装置１４、送信先（配信先）判別装置１５、情報格納装置１６、情報公開装置１７、順路制御装置１８、情報格納部１９及び情報収集装置２０から少なくとも構成されている。情報格納装置１６は、インターネット７により閲覧可能な形式で、各種情報が格納されている。情報公開装置１７は、インターネット７に対応する通信プロトコルに従って各種情報の提供が行われるようにしてある。データ管理装置５の情報公開装置１７には、図１示すように、インターネット７によって、情報センターに設置されたデータ管理装置５から離れた場所に設置させた複数個の参照設定装置８〜８Ｎが接続されている。情報公開装置１７と参照設定装置８〜８Ｎとの間の通信手段は、インタネットプロトコルに限定されるものではなく、他のあらゆる通信手段とすることが可能である。
【００２１】
データ管理装置５は、入退室管理装置３〜３Ｎのコントローラ１１〜１１Ｎに電話回線４を介して接続されて、電気錠１０、１０Ａ〜１０Ｍ、１０Ｎの開錠及び閉錠の来歴情報データ等を含む入退室情報及び順路情報を格納管理するようにしてある。参照設定装置８〜８Ｎは、建物２〜２Ｎ（ビル）のオーナーなどがその建物２〜２Ｎの各部屋の入退室状況などを知るために入退室情報の参照並びに契約顧客の建物２〜２Ｎの各部屋の入居者の識別データや順路データなどの設定及び削除をすることができる機能を有している。参照設定装置８〜８Ｎで設定した識別データや順路データなどは、インターネット７を介してデータ管理装置５の情報公開装置１７に送信されて、その情報公開装置１７から情報格納装置１６を介して情報格納部１９に登録格納されるとともに、データ管理装置５から電話回線４を介して入退室管理装置３〜３Ｎにリアルタイムに送信されて、その入退室管理装置３〜３Ｎのコントローラ１１〜１１Ｎにも格納される。
【００２２】
情報格納部１９は、図１に示すように、順路ナンバーデータベース２１Ａ、順路パターンデータベース２１Ｂ、順路管理データベース２１Ｃ、送信先データベース２２、カードデータベース２３、テナントデータベース２３Ａ及びスケジュールデータベース２３Ｂなどから構成されており、情報格納装置１６に接続されている。本実施形態では、カードリーダ９、９Ａ〜９Ｍ、９Ｎの読み込み順序（順路情報）を記憶する読み込み順序記憶部２１を、順路ナンバーデータベース２１Ａ、順路パターンデータベース２１Ｂ及び順路管理データ２１Ｃにより構成するようにしている。
【００２３】
情報公開装置１７により、建物２〜２Ｎ（ビル）のオーナーなどが設定した建物２〜２Ｎの各部屋の退去及び入居の予定情報（スケジュール）を、データ管理装置５内にインターネット７を介して取得した後、その退去及び入居の予定情報に基づき、入退室管理装置３及びデータ管理装置５に格納された識別データや順路データを、削除及び設定することにより、変更あるいは更新するようにしてある。これにより、読み込み順序記憶部２１に記憶されるカードリーダ９、９Ａ〜９Ｍ、９Ｎのカードリーダ読み込み順序を、曜日、祝祭日及び時間によって変更あるいは更新することが可能となる。
【００２４】
管制センター６は、電話回線４を介して保守技術者の現地への出動指示を行う機能を有するものであって、図１に示すように、回線制御装置２４、異常受信装置２５及び複数個の異常表示装置２６〜２６Ｎから少なくとも構成されている。異常表示装置２６〜２６Ｎは、キーボード、マウス及び表示装置を有している。管制センター６の回線制御装置２４は、電話回線４を介して、入退室管理装置３〜３Ｎのコントローラ１１〜１１Ｎ及びデータ管理装置５の回線制御装置１２に接続されている。なお、管制センター６の回線制御装置２４と入退室管理装置３〜３Ｎのコントローラ１１〜１１Ｎとデータ管理装置５の回線制御装置１２との間の通信手段は、電話回線４に限定されるものではなく、高速データ回線、無線回線などのあらゆる通信手段とすることが可能である。
【００２５】
コントローラ１１は、図２に示すように、電話回線４を介してデータ管理装置５及び管制センター６との間の通信を行う着信装置２７及び送信装置２８と、入退室管理装置３〜３Ｎで発生した異常データ（異常情報）の送信先データを格納する送信先データベース２９と、カードリーダ９、９Ａ〜９Ｍ、９Ｎの読み込み順序のデータである順路データ（順路情報）を格納する順路管理データベース３０と、この順路管理データベース３０に格納された順路データ（順路情報）と照合して入室可否を判断する順路制御装置３１と、カードリーダ９や電気錠１０などの機器を制御する機器制御装置３２と、カードリーダ９や電気錠１０などの機器に発生した異常内容の緊急度（重要度）を判断するための緊急度判断データを格納する異常判断データベース３３と、この異常判断データベース３３に格納された緊急度判断データに基づきカードリーダ９や電気錠１０などの機器に発生した異常内容の緊急度を判断する異常状態判断装置３４とから少なくとも構成されている。他のコントローラ１１Ａ〜１１Ｎも、コントローラ１１と同様に、着信装置２７と、送信装置２８と、送信先データベース２９と、順路管理データベース３０と、順路制御装置３１と、機器制御装置３２と、異常判断データベース３３と、異常状態判断装置３４とから構成されている。送信装置２８は、入退室管理装置３に発生した異常状態の緊急度が高い場合にはその異常状態の内容を管制センター６に電話回線４を介して送信し、かつ、異常状態の緊急度が低い場合にはその異常状態の内容を情報センターに設置されたデータ管理装置５に電話回線４を介して送信する機能を有している。
【００２６】
コントローラ１１〜１１Ｎは、カードリーダ９、９Ａ〜９Ｍ、９Ｎにより読み込まれた識別データを判別して電気錠１０、１０Ａ〜１０Ｍ、１０Ｎの開錠（解錠）若しくは閉錠（施錠）を実施し、その開錠（解錠）若しくは閉錠（施錠）に係わる入退室情報が、一定期間若しくは所定件数毎に、一時的に保管する。コントローラ１１〜１１Ｎに一時的に保管された入退室情報は、データ管理装置５により、電話回線４を介して収集されて、データ管理装置５の情報格納部１９に格納される。なお、入退室情報としては、ＩＣカードの所有者の識別データ、入退室した時刻、入退室したドアを特定するためのドア情報、電気錠１０、１０Ａ〜１０Ｍ、１０Ｎ及びカードリーダ９、９Ａ〜９Ｍ、９Ｎの開錠（解錠）若しくは閉錠（施錠）の動作情報などが含まれる。
【００２７】
さらに、コントローラ１１〜１１Ｎには、情報センターに設置されたデータ管理装置５からの識別データ（カード情報）や順路データ（順路情報）を受信して、順路管理データベース３０に格納しておく。識別データ（カード情報）や順路データ（順路情報）は、参照設定装置８〜８Ｎにて設定され、データ管理装置５の送信先判別装置１５にて判別されたコントローラ１１〜１１Ｎのいずれかのコントローラに、情報配信装置１４と回線制御装置１２と電話回線４を介して、送信される。
【００２８】
コントローラ１１〜１１Ｎは、読み込み順序記憶部２１に記憶された順路データ（順路情報）の順にカードリーダ９、９Ａ〜９Ｍ、９Ｎが識別データ（カード情報）を読み込んだとき、電気錠１０、１０Ａ〜１０Ｍ、１０Ｎへ開錠信号を出力させて、その電気錠１０、１０Ａ〜１０Ｍ、１０Ｎを開錠させることによって、建物の各部屋の出入口に設けたドアを開かせる機能を有する構成にしてある。
【００２９】
データ管理装置５における読み込み順序記憶部２１の順路ナンバーデータベース２１Ａには、図３に示す内容の「カード毎の順路管理テーブル」が格納されている。すなわち、その「カード毎の順路管理テーブル」には、ＩＣカードナンバー毎に、登録済順路パターン、有効順路、順路カウンタ及び状態説明が、それぞれ格納されている。例えば、順路ナンバーデータベース２１Ａには、図３に示すように、複数個のテナント用のＩＣカードナンバー０１２３４０００１、０１２３４０００２などが格納されている。
【００３０】
データ管理装置５における読み込み順序記憶部２１の順路パターンデータベース２１Ｂには、図４に示す内容の「順路パターン管理テーブル」が格納されている。すなわち、その「順路パターン管理テーブル」には、順路パターン毎に、順路ＮＯ．１、順路ＮＯ．２、順路ＮＯ．３及びスケジュールパターンが、それぞれ格納されている。例えば、順路パターンデータベース２１Ｂには、図４に示すように、順路の異なる複数個の順路パターンＡ−１、Ａ−２、Ａ−３、Ａ−４、Ｂ−１、Ｂ−２が格納されている。
【００３１】
データ管理装置５における読み込み順序記憶部２１の順路管理データベース２１Ｃには、図５に示す内容の「順路スケジュール管理テーブル」が格納されている。すなわち、その「順路スケジュール管理テーブル」には、スケジュールパターン毎に、有効曜日及び有効時間が、それぞれ格納されている。例えば、順路管理データベース２１Ｃには、図５に示すように、有効曜日及び有効時間の異なる複数個のスケジュールパターンＳ‐１、Ｓ‐２が格納されている。
【００３２】
図３、図４及び図５に示す各管理テーブルの順路データ（順路情報）は、コントローラ１１〜１１Nの順路管理データベース３０に格納され、入室可否の判断を行う際に使用される。順路データ（順路情報）は、建物２〜２Ｎのオーナーなどにより、参照設定装置８〜８Ｎにて設定され、情報公開装置１７−情報格納装置１６を介して情報格納部１９に格納されるとともに、送信先判別装置１５によってコントローラ１１〜１１Ｎのうち判別されたコントローラに、データ管理装置５からリアルタイムに送信（配信）される。
【００３３】
図１に示す本発明の一実施形態に係る入退室管理システム１を採用した３階建てビルの１階（１Ｆ）及び２階（２Ｆ）の内容は、図６に示す。すなわち、ビルの１階（１Ｆ）は、玄関、エレベーター１階出入口、２個所の非常階段室の出入口及びテナント１〜テナント４からなっている。ビルの２階（２Ｆ）は、エレベーター２階出入口、２個所の非常階段室（２階）出入口及びテナント５〜テナント８からなっている。玄関、エレベーター１階出入口、２個所の非常階段室（１階）出入口及びテナント１〜テナント４には、図６に示すように、カードリーダ２Ａ−１〜カードリーダ２Ａ−８及びコントローラＣＲ１〜コントローラＣＲ８が設置されている。ビルの２階（２Ｆ）は、エレベーター２階出入口、２個所の非常階段室（２階）出入口及びテナント５〜テナント８には、図６に示すように、カードリーダ２Ａ−９〜カードリーダ２Ａ−１５及びコントローラＣＲ９〜コントローラＣＲ１５が設置されている。
【００３４】
図６に示すビルの１階（１Ｆ）のテナント１に入室する場合のカードリーダ読み込み順序は、カードリーダ２Ａ−１、カードリーダ２Ａ−５の順とする。このカードリーダ読み込み順序を、ビルのオーナーが参照設定装置８〜８Ｎにて設定してデータ管理装置５及びコントローラＣＲ５に、順路データとして格納する。そして、この順路データの順（カードリーダ読み込み順序の順）で、テナント１の入室を許可された人が所有するＩＣカードの識別データを、カードリーダ２Ａ−５が読み込んだと判断されたときにのみ、コントローラＣＲ５が開錠信号を出力して、テナント１への入室を可能にする。
【００３５】
また、ビルの２階（２Ｆ）のテナント５に入室する場合のカードリーダ読み込み順序は、カードリーダ２Ａ−１、カードリーダ２Ａ−２、カードリーダ２Ａ−１２の順並びにカードリーダ２Ａ−１、カードリーダ２Ａ−３、カードリーダ２Ａ−１０、カードリーダ２Ａ−１２の順若しくはカードリーダ２Ａ−１、カードリーダ２Ａ−４、カードリーダ２Ａ−１１、カードリーダ２Ａ−１２の順となる。これらカードリーダ読み込み順序のうち、テナント５に入室する人が選択した一つのカードリーダ読み込み順序を、例えば、カードリーダ２Ａ−１、カードリーダ２Ａ−２、カードリーダ２Ａ−１２に順としたカードリーダ読み込み順序を、ビルのオーナーが参照設定装置８〜８Ｎにて設定してデータ管理装置５及びコントローラＣＲ１２に、順路データとして格納する。そして、この順路データの順（カードリーダ読み込み順序の順）で、テナント５の入室を許可された人が所有するＩＣカードの識別データを、カードリーダ２Ａ−１２が読み込んだと判断されたときにのみ、コントローラＣＲ１２が開錠信号を出力して、テナント５への入室を可能にする。
【００３６】
また、ＩＣカードを不正に取得した者が取得カードにてビルへ入った場合は、カードリーダ読み込み順序が定められているとは判らないため，カードリーダに読み込ませる度にエラーが生じ、このエラーが所定回数例えば３回連続すると、不正使用と見なしてコントローラ１１〜１１Ｎへ当該ＩＣカードの使用停止処理を指示すれば、ＩＣカードを不正に取得した者をビル内に確保できる。
【００３７】
また、ビルの２階（２Ｆ）に設けられるセキュリティレベルの高い、例えばサーバ室であるテナント７へ入室する場合のカードリーダ読み込み順序は、カードリーダ２Ａ−１、カードリーダ２Ａ−２、カードリーダ２Ａ−１３、カードリーダ２Ａ−１４の順となり、カードリーダ２Ａ−１３は読み込んだＩＣカードをテナント７への入室を１回許可する処理をコントローラ１１〜１１Ｎへ送信し、カードリーダ２Ａ−１４のみ当該ＩＣカードでの入室を許可する(特定部入出手段)。
【００３８】
さらに、テナント７から退室するときは、カードリーダ２Ａ−１４に当該ＩＣカードを読み込ませた後、カードリーダ２Ａ−１３へ当該ＩＣカードを読み込ませ、テナント７のみの入室許可の解除をコントローラ１１〜１１Ｎへ送信しなければ、どこへも移動できずビル内に閉じ込められることとなる。
【００３９】
ここで、テナント７への入室許可及び解除は、カードリーダ２Ａ−１３へ当該ＩＣカードを読み込ませることとしたが、カードリーダ２Ａ−１３でテナント６へ入室し、テナント６に設置した図示しないカードリーダ或は図示しない指静脈認証装置等の個人認証装置によって行うことや、カードリーダ２Ａ−１３，カードリーダ２Ａ−１４が識別可能なテナント７へ入室できる専用ＩＣカードを設ければ、さらにセキュリティレベルが高くなる。
【００４０】
次に、上記一実施形態に係る入退室管理システム１による異常発生通報方法を、図７に基づき、説明する。
【００４１】
まず、図７のステップＪ１のようにカードリーダ９、９Ａ〜９Ｍ、９Ｎに異常が発生するか、若しくは図７のステップＪ２のように電気錠１０、１０Ａ〜１０Ｍ、１０Ｎに異常が発生すると、その異常が、図７のステップＪ３のようにコントローラ１１〜１１Ｎの機器制御装置３２にて検出される。
【００４２】
次いで、コントローラ１１〜１１Nの機器制御装置３２にて検出された異常につき、コントローラ１１〜１１Nの異常判断データベース３４に格納されている緊急度判断データに基づいて、コントローラ１１〜１１Nの異常状態判断装置３４により、図７のステップＪ４のように異常状態の緊急度合が判断される。
【００４３】
次いで、図７のステップＪ４の判断結果に基づき、送信先データベース２９にて送信先を、図７のステップＪ５のように特定して、その特定した送信先に異常発生通報（異常発生信号及び異常状態の内容）が、コントローラ１１〜１１Nの送信装置２８から電話回線４を介して管制センター６若しくはデータ管理装置５が設置されている情報センター（データセンター）に送信される。例えば、電気錠１０の開閉が行われないために入室ができないという緊急度の高い異常が発生した場合には、図７のステップＪ６のように管制センター６に、異常発生通報（異常発生信号及び異常状態の内容）が送信される。また、緊急度の低い異常が発生した場合には、図７のステップＪ８のようにデータ管理装置５が設置されている情報センター（データセンター）に、異常発生通報（異常発生信号及び異常状態の内容）が送信される。
【００４４】
管制センター６に、異常発生通報（異常発生信号及び異常状態の内容）が送信されると、管制センター６から保守技術者に対して、入退室管理装置３〜３Ｎのうちの、緊急度の高い異常が発生した入退室管理装置３〜３Ｎへの出動指示が図７のステップＪ７のようになされる。その後、図７のステップＪ９のように入退室管理装置３〜３Ｎに発生した異常の来歴が、管制センター６からデータ管理装置５が設置されている情報センター（データセンター）に送信された後、その異常来歴が図７のステップＪ１０のようにデータ管理装置５に格納される。
【００４５】
一方、コントローラ１１〜１１Ｎからデータ管理装置５が設置されている情報センター（データセンター）に、異常発生通報（異常発生信号及び異常状態の内容）が送信されると、その異常発生通報が異常来歴として、図７のステップＪ１０のようにデータ管理装置５に格納され、その後の入退室管理に供せられる。
【００４６】
このように、上記一実施形態に係る入退室管理システム１によれば、コントローラ１１〜１１Nの異常状態判断装置３４によって、カードリーダ９、９Ａ〜９Ｍ、９Ｎ及び電気錠１０、１０Ａ〜１０Ｍ、１０Ｎには発生した異常の緊急度合が判断されて、緊急度の高い場合には、異常発生通報（異常発生信号及び異常状態の内容）が管制センター６に送信されて、保守技術者の現地への出動指示がなされるので、迅速な対応を可能にするとともに、カードリーダ９、９Ａ〜９Ｍ、９Ｎ及び電気錠１０、１０Ａ〜１０Ｍ、１０Ｎには発生した異常を異常来歴としてデータ管理装置５の確実に保管される。
【００４７】
次に、上記一実施形態に係る入退室管理システム１よるテナント利用者情報の変更方法を、図８に基づき、説明する。
【００４８】
まず、図８のステップＫ１のように、契約顧客の建物２〜２Ｎのテナント利用者からテナントを退去したい旨の連絡（退去連絡）を、その建物２〜２Ｎのオーナーが受けると、そのオーナーにより、参照設定装置８〜８Ｎを操作することで、図８のステップＫ２のように、情報公開装置１７のＷｅｂ画面からテナントを退去する日時（退去日時）に、その退去する人が所有するＩＣカードが使用できなくなる日時（カード操作停止スケジュール）が設定される。
【００４９】
次いで、図８のステップＫ２で設定された内容（設定情報）は、図８のステップＫ３のように、データ管理装置５における情報格納部１９のカードデータベース２３、テナントデータベース２３Ａ及びスケジュールデータベース２３Ｂに格納管理された後、図８のステップＫ４のように、送信先判別装置１５―情報配信装置１４を介してコントローラ１１〜１１Ｎのうちの該当コントローラに送信される。その後、図８のステップＫ５のように、カードリーダ９、９Ａ〜９Ｍ、９ＮでＩＣカードを読み取らせる（カード操作を実施する）。
【００５０】
次いで、カードリーダ９、９Ａ〜９Ｍ、９ＮでＩＣカードを読み取らせた（カード操作を実施した）日時が、退去日時を過ぎているか否かが、図８のステップＫ６で判定される。そして、図８のステップＫ６において、カードリーダ９、９Ａ〜９Ｍ、９Ｎで読み取った日時が、退去日時を過ぎていないと判定された場合には、図８のステップＫ７に示すように、カードリーダ９、９Ａ〜９Ｍ、９ＮでＩＣカードを読み取らせることができる、すなわち、カード操作が可能である。したがって、退去日時を過ぎない間は、テナントを退去したい旨の連絡（退去連絡）をしたテナント利用者が所有するＩＣカードで、そのテナント利用者が退去しようとした部屋を入退室することができる。
【００５１】
また、図８のステップＫ６において、カードリーダ９、９Ａ〜９Ｍ、９Ｎで読み取った日時が、退去日時を過ぎていると判定された場合には、図８のステップＫ８に進み、データ管理装置５からコントローラ１１〜１１Ｎにカード情報削除指令が送信されて、コントローラ１１〜１１Ｎに格納された識別データなどのカード情報が一括削除され、図８のステップＫ９に示すように、カードリーダ９、９Ａ〜９Ｍ、９ＮでＩＣカードを読み取らせることができない、すなわち、カード操作が不可能となる。したがって、退去日時を過ぎた場合には、テナントを退去したい旨の連絡（退去連絡）をしたテナント利用者が所有するＩＣカードで、そのテナント利用者が退去しようとした部屋を入退室することができない。
【００５２】
次いで、データ管理装置５からコントローラ１１〜１１Ｎにカード情報削除指令が送信されて、コントローラ１１〜１１Ｎに格納された識別データなどのカード情報が一括削除された後、図８のステップＫ１０のように、新規に入居するテナント利用者が決まったならば、その新規テナント利用者の新規カード情報（新規テナント用の識別データ）を、オーナーが参照設定装置８〜８Ｎを操作し、図８のステップＫ１１のように、情報公開装置１７のＷｅｂ画面で登録することで、その登録した新規カード情報（新規テナント用の識別データなど）が、カードデータベース２３、テナントデータベース２３Ａ及びスケジュールデータベース２３Ｂに格納される。
【００５３】
次いで、図８のステップＫ１１で登録された新規カード情報（新規テナント用の識別データなど）は、図８のステップＫ１２のように、データ管理装置５が設置された情報センター（データセンター）からコントローラ１１〜１１Ｎのうちの該当するコントローラに送信されて、そのコントローラに格納される。その結果、カードリーダ９、９Ａ〜９Ｍ、９Ｎで新規テナント入居者のＩＣカードを、図８のステップＫ１３に示すように、読み取らせることができる、すなわち、カード操作が可能となる。したがって、新規テナント利用者が所有するＩＣカードのみによって、新規に入居登録した部屋の入退室をすることができる。
【００５４】
このように、上記一実施形態に係る入退室管理システム１によれば、頻繁にテナントの利用者が入れ替わっても、オーナーにより、参照設定装置８〜８Ｎを操作することで、情報公開装置１７のＷｅｂ画面にて新規テナント利用者の情報を登録設定することができるので、入退室管理装置３〜３Ｎが設置されている現地に保守技術者を出動させて、その保守技術者により、識別データ（カード情報及びテナント情報など）や順路データ（順路情報）の削除及び更新の作業を行わせるようにしなくてもよくなるため、保守作業費の低減化が図られるとともに、オーナー（顧客）主導の入退室管理の運用が図られる。
【００５５】
次に、上記一実施形態に係る入退室管理システム１よる順路判断方法を、図９及び図６を用いて、説明する。
【００５６】
図６に示すところの３階建てビルの１階（１Ｆ）及び２階（２Ｆ）のように、複数個のカードリーダ２Ａ−１〜カードリーダ２Ａ−１５が設置されており、テナント１の利用者がその利用者のＩＣカードによるカードリーダの順路パターン（カードリーダ読み込み順序）を、３階建てビルの玄関に設置したカードリーダ２Ａ−１経由カードリーダ２Ａ−５とした場合には、その順路パターン（カードリーダ読み込み順序）を、予め、データ管理装置５の読み込み順序記憶部２１からコントローラＣＲ５の順路管理データベース３０に送信したうえで格納しておく。この状態で、図９のステップＬ１のように、テナント１の利用者のＩＣカードを、カードリーダ２Ａ−５にかざす（読み込ませる）ことで、予め格納したテナント１の利用者の順路パターンが、図９のステップＬ２のように、コントローラＣＲ５の順路管理データベース３０から取得される。
【００５７】
次いで、図９のステップＬ３のように、コントローラＣＲ５の順路制御装置３１において、コントローラＣＲ５の順路管理データベース３０から取得したテナント１の利用者の順路パターンの通り、カードリーダ２Ａ−５が識別データを読み込んだか否かの判断が行われる。
【００５８】
図９のステップＬ３において、カードリーダ２Ａ−５が、コントローラＣＲ５の順路管理データベース３０から取得したテナント１の利用者の順路パターンの通り、識別データを読み込まれない場合には、図９のステップＬ４のように、入室エラーと判断されて、テナント１の出入口に設けた電気錠が開かれず、テナント１に入ることができない。例えば、カードリーダ２Ａ−１を使用せずに、非常階段や他のテナント２〜４の窓などから侵入してきて、テナント１の利用者のＩＣカード（盗んだりコピーされたりしたもの）によりカードリーダ２Ａ−５を操作しても、そのＩＣカード（盗んだりコピーされたりしたもの）は、カードリーダ２Ａ−１を操作していないので、テナント１の出入口に設けた電気錠が開かれず、テナント１内に入ることができない。
【００５９】
図９のステップＬ３において、カードリーダ２Ａ−５が、コントローラＣＲ５の順路管理データベース３０から取得したテナント１の利用者の順路パターンの通り、識別データを読み込まれた場合には、図９のステップＬ５のように、テナント１の利用者のＩＣカードの順路データに＋１を加えて、次のカードリーダの読み取りに備えるようにした後、図９のステップＬ６のように、コントローラＣＲ５によりテナント１の出入口に設けた電気錠を開けさせる。これにより、テナント１内に入ることができる。
【００６０】
このように、上記一実施形態に係る入退室管理システム１によれば、図６のテナント１に入るには、カードリーダ２Ａ−１の操作が許可されていることが条件となり、図６の非常階段室の出入口に設けたカードリーダ２Ａ−３などを通り抜けて、盗んだりコピーされたりしたテナント１の利用者のＩＣカードで、図６のテナント１の入口に設けたカードリーダ２Ａ−５を操作しても、図６のテナント１の出入口に設けた電気錠を開けさせることができないので、より一層、セキュリティの向上が図られる。
【００６１】
上記一実施形態に係る入退室管理システム１において、建物２〜２Ｎの部屋に入室する人が所有するＩＣカードの識別データを、予め参照設定装置８〜８Ｎにて設定操作してデータ管理装置５の情報格納部１９に格納し、その格納した識別データをコントローラ１１〜１１Nに格納しておく。その後、そのＩＣカードの所有者が建物２〜２Ｎの部屋に入室する場合には、そのＩＣカードの識別データをカードリーダ９、９Ａ〜９Ｍ、９Ｎによって読み取らせる。そして、読み取られたＩＣカードの識別データがコントローラ１１〜１１Ｎに格納した識別データと一致した場合には、コントローラ１１〜１１Ｎから開錠信号が電気錠１０、１０Ａ〜１０Ｍ、１０Ｎに出力されてその電気錠１０、１０Ａ〜１０Ｍ、１０Ｎが開錠されるので、ＩＣカードの所有者が部屋の出入口に設けたドアを開けて入室することができる。部屋に入室した後、ドアを閉じると、その建物２〜２Ｎの部屋に入室したことを来歴情報としてコントローラ１１〜１１Ｎに保持される。
【００６２】
さらに、上記一実施形態に係る入退室管理システム１において、建物２〜２Ｎの部屋から退室する場合には、ＩＣカードの識別データをカードリーダ９、９Ａ〜９Ｍ、９Ｎによって読み取らせる。そして、読み取られたＩＣカードの識別データがコントローラ１１〜１１Ｎに格納した識別データと一致した場合には、コントローラ１１〜１１Ｎから開錠信号が電気錠１０、１０Ａ〜１０Ｍ、１０Ｎに出力されてその電気錠１０、１０Ａ〜１０Ｍ、１０Ｎが開錠されるので、ＩＣカードの所有者が部屋の出入口に設けたドアを開けて退室することができる。部屋に退室した後、ドアを閉じると、その建物２〜２Ｎの部屋に退室したことを来歴情報としてコントローラ１１〜１１Ｎに保持される。コントローラ１１〜１１Ｎに保持された入室及び退室の来歴情報は、定期的に、データ管理装置５の情報収集装置２０によって回収されて、データ管理装置５の情報格納部１９に格納される。
【００６３】
さらに、上記一実施形態に係る入退室管理システム１において、建物の部屋に入室する場合に、建物の部屋に入室する人が所有するＩＣカードの識別データを複数個のカードリーダに読み取らせる必要がある場合には、複数個のカードリーダの読み込み順序を、順路データ（順路情報）として、予め参照設定装置８〜８Ｎにて設定操作することにより、データ管理装置５の情報格納部１９の読み込み順序記憶部２１に格納し、その格納した順路データ（順路情報）をコントローラ１１〜１１Ｎの順路管理データベース３０に格納しておく。その後、複数個のカードリーダが順路データ（順路情報）の順にＩＣカードの識別データを読み込んだとき、コントローラ１１〜１１Ｎから開錠信号が電気錠１０、１０Ａ〜１０Ｍ、１０Ｎに出力されてその電気錠１０、１０Ａ〜１０Ｍ、１０Ｎが開錠されるので、ＩＣカードの所有者が部屋の出入口に設けたドアを開けて入室することができる。ところが、複数個のカードリーダが順路データ（順路情報）の順にＩＣカードの識別データを読み込まれないときは、予め設定した指定順路を経由していないと判断されて、コントローラ１１〜１１Ｎから電気錠１０、１０Ａ〜１０Ｍ、１０Ｎに開錠信号が出力されないので、その電気錠１０、１０Ａ〜１０Ｍ、１０Ｎが開錠されることなく、部屋の出入口に設けたドアが開かず、入室することができない。このように、上記一実施形態に係る入退室管理システム１によれば、順路（カードリーダ読み込み順序）に違反する場合には、建物の部屋への入室が許可されないので、安全である。
【００６４】
次に、上記一実施形態に係る入退室管理システム１よるカード読み込みエラーの対応方法を、図６及び図１０に基づき、説明する。
【００６５】
図６に示すカードリーダ２Ａ-１〜２Ａ-１５はビルやテナント１〜８及び非常階段室やエレベーター乗場に複数存在して構成されており、図６に示すような構成でテナント８へ入室する場合、まず、建物の入り口のカードリーダ２Ａ-１にＩＣカードをかざして建物内に入り、図１０のステップＭ１のように、エレベーターの乗場に設置されるカードリーダ２Ａ-２にＩＣカードをかざすと、ステップＭ２で当該ＩＣカードの順路が正しいか否かの順路判定し、順路が正しければエレベータ呼び登録し、このエレベーターで２階へ行きテナント８に設置されるカードリーダ２Ａ-１５にＩＣカードをかざして、テナント８への入室が可能となる。
【００６６】
一方、図１０のステップＭ２において、テナント８へ入室する順序が非常階段を利用するように設定されている場合、カードリーダ２Ａ-１の次にカードリーダ２Ａ-３の読み込みが必要であり、図１０のステップＭ３のように入室エラーとなり、この入室エラーを複数繰り返すと、図１０のステップＭ４のように、入室エラーの連続回数をカウントし、エラー回数が所定回数である３回となると、図１０のステップＭ５のように、コントローラ１１〜１１Ｎへ当該ＩＣカードの使用停止処理を指示して、当該ＩＣカードを利用不可に設定する。
【００６７】
このように、カードリーダの読み込み順を３回連続して待ちがった場合は、ＩＣカードを不正に取得した不審者であると判断してビル内に閉じ込めるようにしたので、セキュリティレベルの高い入退室管理システム１を提供できる。
【００６８】
次に、上記一実施形態に係る入退室管理システム１よるセキュリティレベルの高い例えばサーバー室への入室の対応方法を、図６及び図１１に基づき、説明する。
【００６９】
図６に示すカードリーダ２Ａ-１〜２Ａ-１５はビルやテナント１〜８及び非常階段室やエレベーター乗場に複数存在して構成されており、テナント７のエリアがセキュリティレベルの高いサーバー室で、このテナント７への入室受付室がテナント６とすると、まず、図１０のステップＮ１のように、建物の入り口のカードリーダ２Ａ-１にＩＣカードをかざして建物内に入り、図１０のステップＮ２にて順路が正しいか判断し、順路が違う場合は図１０のステップＮ３にて入室エラーの処理を行う。図１０のステップＮ２にて順路が正しい場合は、図１０のステップＮ４に示す次の順路であるエレベーターのカードリーダ２Ａ−２にＩＣカードをかざし、図１０のステップＮ５にて順路が正しいか判断し、順路が違う場合は図１０のステップＮ６にて入室エラーの処理を行う。
【００７０】
このように、ＩＣカードを所定の順でカードリーダに読み込ませて、図１０のステップＮ７にてテナント６のカードリーダ２Ａ−１３にＩＣカードをかざし、図１０のステップＮ８に示すように、テナント６の居室内で図示しないカード処理装置や、例えば指静脈を使った個人認証装置にてテナント７へ入室する人の情報を取り込み、間違いない場合は、当該ＩＣカードに対して、カードリーダ２Ａ−１３の取り込みと、テナント７のカードリーダ２Ａ−１４の１回のみ取り込み許可の処理を行う。ここで、当該ＩＣカードの取り込み許可は、カードーリーダ２Ａ−１３とカードーリーダ２Ａ−１４の１回、これ以外のカードーリーダの取り込みを停止する指令を各コントローラ１１〜１１Ｎへ送信すれば良い。
【００７１】
次に、図１０のステップＮ９にてテナント７のカードリーダ２Ａ−１４にＩＣカードをかざし、図１０のステップＮ１０に示すように、図１０のステップＮ８で当該ＩＣカードの処理が成されたか、当該ＩＣカードの処理後に他のカードリーダへかざしていないかを判断し、当該ＩＣカード未処理及び当該ＩＣカード処理後他のカードリーダが読み込んだ場合は、図１０のステップＮ１１にて入室エラー処理としてアラーム鳴動、カードリーダ２Ａ−１４へ当該ＩＣカードをかざすことが数回繰り返すと、不審者として管制センター６へ通報する。
【００７２】
また、図１０のステップＮ１０にて、図１０のステップＮ８で当該ＩＣカードの処理済で他のカードリーダへ読み込ませなかった場合は、図１０のステップＮ１２に示すように、サーバー室であるテナント７への入室が可能となる。
【００７３】
次に、テナント７から退出する際は、テナント６の居室内で当該ＩＣカードの処理解除を実施すれば良いので、詳細な説明は省略する。
【００７４】
このように、本実施例の入退室管理システム１は、セキュリティレベルの高いサーバ室の入退室にも対応できる。
【００７５】
ここで、テナント７への入退室の許可はテナント６の居室内に設置したカード処理装置や、指静脈等の個人認証装置を使ったが、テナント６に設けたカードリーダ２Ａ−１３を使っても同様なる効果が得られる。
【図面の簡単な説明】
【００７６】
【図１】本発明の一実施形態に係わり、入退室管理システム全体の機能ブロック図である。
【図２】本発明の一実施形態に係わり、入退室管理システムにおけるコントローラの機能ブロック図である。
【図３】本発明の一実施形態に係わり、入退室管理システムにおける読み込み順序記憶部の「カード毎の順路管理テーブル」に関する内容例を示す説明図である。
【図４】本発明の一実施形態に係わり、入退室管理システムにおける読み込み順序記憶部の「順路パターン管理テーブル」に関する内容例を示す説明図である。
【図５】本発明の一実施形態に係わり、入退室管理システムにおける読み込み順序記憶部の「順路スケジュール管理テーブル」に関する内容例を示す説明図である
【図６】本発明の一実施形態に係る入退室管理システムを採用した３階建てビルの１階及び２階の内容例を示す説明図である。
【図７】本発明の一実施形態に係わり、入退室管理システムによる異常発生通報方法例を示すフローチャートである。
【図８】本発明の一実施形態に係わり、入退室管理システムによるテナント利用者情報の変更方法例を示すフローチャートである。
【図９】本発明の一実施形態に係わり、入退室管理システムによる順路判断方法例を示すフローチャートである。
【図１０】本発明の一実施形態に係わり、順路エラー時のＩＣカード利用不可設定フローチャートである。
【図１１】本発明の一実施形態に係わり、セキュリティレベルの高い居室に入室する際のフローチャートである。
【符号の説明】
【００７７】
１    入退室管理システム
２〜２Ｎ  契約顧客の建物
３〜３Ｎ  入退室管理装置
４    電話回線
５    データ管理装置
６    管制センター
７    インターネット
８〜８Ｎ  参照設定装置
９、９Ａ〜９Ｍ、９Ｎ  カードリーダ
１０、１０Ａ〜１０Ｍ、１０Ｎ  電気錠
１１〜１１N  コントローラ
１２  回線制御装置
１３  異常受信装置
１４  情報配信装置
１５  送信先判別装置
１６  情報格納装置
１７  情報公開装置
１８  順路制御装置
１９  情報格納部
２０  情報収集装置
２１  読み込み順序記憶部
２１Ａ  順路ナンバーデータベース
２１Ｂ  順路パターンデータベース
２１Ｃ  順路管理データベース
２２  送信先データベース
２３  カードデータベース
２３Ａ  テナントデータベース
２３Ｂ  スケジュールデータベース
２４  回線制御装置
２５  異常受信装置
２６〜２６Ｎ  異常表示装置
２７  着信装置
２８  送信装置
２９  送信先データベース
３０  順路管理データベース
３１  順路制御装置
３２  機器制御装置
３３  異常判断データベース
３４  異常状態判断装置
【図１】
2008157015.tif 000003
【図２】
2008157015.tif 000004
【図３】
2008157015.tif 000005
【図４】
2008157015.tif 000006
【図５】
2008157015.tif 000007
【図６】
2008157015.tif 000008
【図７】
2008157015.tif 000009
【図８】
2008157015.tif 000010
【図９】
2008157015.tif 000011
【図１０】
2008157015.tif 000012
【図１１】
2008157015.tif 000013